(57)【要約】【課題】結線作業が容易で、結線時に加わる衝撃に強いモジュラジャックを提供する。【解決手段】後面が開口した略箱形であって前面にプラグ挿入口が開口した前カバー１、及び、前カバー１の開口内に前端部を納めた状態で前カバー１に取着される取付ベース２からなるカバーブロックと、プラグ挿入口を通して挿入されるモジュラプラグの接触子に接触する接触部及び該接触部に電気的に接続されるとともに外部電線が圧接される圧接端子を具備したモジュラブロック３とを備え、圧接端子はカバーブロックから後方に突出するモジュラブロック３の部位の一面に配設されており、モジュラブロックにおける圧接端子が配設された側と反対側の部位に接触するジャック保持部１４を取付ベース２の後部から延設してある。【選択図】      図１
2004171899.tif 000002
【特許請求の範囲】
【請求項１】
モジュラプラグを挿入するプラグ挿入口が前面に開口したカバーブロックと、カバーブロックに取り付けられ、プラグ挿入口を通して挿入されるモジュラプラグの接触子に接触する接触部及び該接触部に電気的に接続されるとともに外部電線が圧接される圧接端子を具備したモジュラブロックとを備え、圧接端子はカバーブロックから後方に突出するモジュラブロックの部位の一面に配設されており、モジュラブロックにおける圧接端子が配設された側と反対側の部位に接触するジャック保持部をカバーブロックの後部から延設したことを特徴とするモジュラジャック。
【請求項２】
上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、後方から取付ベースに挿入されるモジュラブロックの爪と係止する係止部を取付ベースに設けたことを特徴とする請求項１記載のモジュラジャック。
【請求項３】
上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、モジュラブロックの左右両側面に形成された溝部にそれぞれ係止する弾性を有する係止爪片を取付ベースに設けたことを特徴とする請求項１記載のモジュラジャック。
【請求項４】
上記取付ベースは後端部からジャック保持部が延設される中央片と、中央片の左右両側縁からモジュラブロック側に突出するフランジ部とで前方から見た形状が略コ字形に形成され、各フランジ部に前カバーの後部から後方に突出する嵌合爪と嵌合する嵌合孔を設けており、各フランジ部の先端部に、前カバーに設けた被係止部と係止することで、嵌合爪と嵌合孔との嵌合が外れる方向へ各フランジ部の先端部が開くのを防止する開き防止リブを設けたことを特徴とする請求項２又は請求項３の何れかに記載のモジュラジャック。
【請求項５】
カバーブロックの後面に、圧接端子に電線を接続する作業を行う際に手の入り込む凹所を設けたことを特徴とする請求項１乃至請求項４の何れか１つに記載のモジュラジャック。
【請求項６】
ジャック保持部はモジュラブロックの左右両側に張出しており、ジャック保持部におけるモジュラブロックとの対向面に、モジュラブロックの左右両側から露出する部位に端子配列を表示したラベルを貼り付けて成ることを特徴とする請求項１乃至請求項５の何れか１つに記載のモジュラジャック。
【発明の詳細な説明】
【０００１】
【発明の属する技術分野】
本発明は、モジュラプラグが着脱自在に接続されるモジュラジャックに関するものである。
【０００２】
【従来の技術】
従来より、図１６〜図１８に示すような構造を有するモジュラジャックが提供されている（例えば特許文献１参照）。このモジュラジャックは、ケース５０の内部にモジュラブロック７０と扉６１（上扉６２及び下扉６３）とを収納して形成される。ケース５０は、前面が開口するボディ５１と、ボディ５１の前面に結合される前カバー５２とにより形成される。すなわち、ボディ５１の両側縁に突設されたフランジ５３に設けた組立孔５４に、前カバー５２の両側部からボディ５１に向かって突設された組立脚５５を挿通し、組立脚５５の先端部に設けた爪５６を組立孔５４の周縁に係止することにより、ボディ５１と前カバー５２とが結合されるのである。
【０００３】
ボディ５１は、フランジ５３よりも後部では、図１６（ｂ）の上半分のみが後方に突出してボディ本体５７となり、ボディ本体５７の下面とボディ５１の下半分の後面とには、両面により形成される角部に跨がるように開口部５８が形成される。一方、前カバー５２は、前面の中央部に突台５９を有し、突台５９の中央部にはモジュラプラグを挿入するプラグ挿入口６０が開口している。
【０００４】
プラグ挿入口６０を通して挿入されるモジュラプラグは、モジュラブロック７０に接続される。モジュラブロック７０はジャック本体７１と中枠７２とを結合して構成される。中枠７２は前面の形状が略矩形状に形成された筒体であって、モジュラプラグが接続される接続部（図示せず）を前面に有し、接続部の内部にはモジュラプラグの複数の接触子にそれぞれ電気的に接続される複数（例えば８本）の接触部（図示せず）が配列されている。ジャック本体７１の内部には一端に接触部がそれぞれ形成された８本の導電部材が収納されており、各導電部材の他端には先端が開放されたフォーク状の圧接スリットを有する従来周知の圧接端子が形成されている。これら８個の圧接端子はジャック本体７１の後部下面に４個ずつ２列に配設されており、圧接端子の配設された部位には端子カバー７３が着脱自在に取り付けられている。また、中枠７２の両側面の略中央には撓み片７４が設けられている。撓み片７４は前端部が中枠７２に連結され、後端部が左右方向に撓み自在となっており、この撓み片７４には後方に行くほど突出量が大きくなる係止爪７５が形成されている。また、中枠７２の両側面には撓み片７４の上下両側に係止突起７６，７７が突設されている。
【０００５】
このモジュラジャックは次のようにして組み立てられる。前カバー５２に扉６１を組み込んだ状態で、モジュラブロック７０の中枠７２を前カバー５２内に挿入すると、中枠７２の係止突起７６，７７が前カバー５２の内側面に設けた係止段部（図示せず）と当接して前方への移動を規制するとともに、撓み片７４の係止爪７５が前カバー５２の内側面に設けた係止孔（図示せず）と係止して抜け止めが行われ、モジュラブロック７０が前カバー５２に取着される。そして、ボディ５１を前カバー５２の後面側から組み込み、前カバー５２の組立脚５５の爪５６をボディ５１の組立孔５４の孔縁に係合させることで、ボディ５１が前カバー５２に結合される。この時、ボディ５１の開口部５８からモジュラブロック７０の後部下面の圧接端子を配列した部位が露出するのである。また、ボディ本体５７の下面には、開口部５８を挟んで左右両側に端子配列を示す２枚の表示ラベル６４，６４が貼り付けられている。
【０００６】
【特許文献１】
特開平１０−２２３３２４号公報（第３頁−第４頁、及び、第２図）
【０００７】
【発明が解決しようとする課題】
上述のモジュラジャックでは、ボディ５１と前カバー５２とで構成されるケース５０の内部にモジュラブロック７０を収納しており、ジャック本体７１は圧接端子の配設された部位しかボディ５１の開口部５８から露出していないので、圧接端子への電線の結線作業がやりにくいという問題があった。
【０００８】
そこで、結線作業の作業性を考慮して、モジュラブロック７０を前カバー５２に保持させ、ボディ５１を無くしたものも従来より提供されているが、ジャック本体７１における圧接端子の配設された側と反対側の面と、前カバー５２の上面との間に段差があった。そのため、結線作業時に圧接端子の配設された側を上向きにしてモジュラジャックを載置すると、ジャック本体７１における圧接端子の配設された側と反対側の面が浮いてしまい、電線を圧接端子に結線する際にインパクトツールのような工具を用いて電線を圧接端子に圧接すると、圧接時にモジュラブロック７０に加わる衝撃でモジュラブロック７０と前カバー５２との結合が外れたり、モジュラブロック７０と前カバー５２とを結合する手段が破損したりするという問題があった。
【０００９】
本発明は上記問題点に鑑みて為されたものであり、その目的とするところは、結線作業が容易で、結線時に加わる衝撃に強いモジュラジャックを提供することにある。
【００１０】
【課題を解決するための手段】
上記目的を達成するために、請求項１の発明では、モジュラプラグを挿入するプラグ挿入口が前面に開口したカバーブロックと、カバーブロックに取り付けられ、プラグ挿入口を通して挿入されるモジュラプラグの接触子に接触する接触部及び該接触部に電気的に接続されるとともに外部電線が圧接される圧接端子を具備したモジュラブロックとを備え、圧接端子はカバーブロックから後方に突出するモジュラブロックの部位の一面に配設されており、モジュラブロックにおける圧接端子が配設された側と反対側の部位に接触するジャック保持部をカバーブロックの後部から延設したことを特徴とする。
【００１１】
請求項２の発明では、請求項１の発明において、上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、後方から取付ベースに挿入されるモジュラブロックの爪と係止する係止部を取付ベースに設けたことを特徴とする。
【００１２】
請求項３の発明では、請求項１の発明において、上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、モジュラブロックの左右両側面に形成された溝部にそれぞれ係止する弾性を有する係止爪片を取付ベースに設けたことを特徴とする。
【００１３】
請求項４の発明では、請求項２又は３の発明において、上記取付ベースは後端部からジャック保持部が延設される中央片と、中央片の左右両側縁からモジュラブロック側に突出するフランジ部とで前方から見た形状が略コ字形に形成され、各フランジ部に前カバーの後部から後方に突出する嵌合爪と嵌合する嵌合孔を設けており、各フランジ部の先端部に、前カバーに設けた被係止部と係止することで、嵌合爪と嵌合孔との嵌合が外れる方向へ各フランジ部の先端部が開くのを防止する開き防止リブを設けたことを特徴とする。
【００１４】
請求項５の発明では、請求項１乃至請求項４の何れか１つの発明において、カバーブロックの後面に、圧接端子に電線を接続する作業を行う際に手の入り込む凹所を設けたことを特徴とする。
【００１５】
請求項６の発明では、請求項１乃至請求項５の何れか１つの発明において、ジャック保持部はモジュラブロックの左右両側に張出しており、ジャック保持部におけるモジュラブロックとの対向面に、モジュラブロックの左右両側から露出する部位に端子配列を表示したラベルを貼り付けて成ることを特徴とする。
【００１６】
【発明の実施の形態】
本発明の実施形態を図面に基づいて説明する。
【００１７】
（実施形態１）
本発明に係るモジュラジャックの１実施形態を図１〜図１２に基づいて説明する。尚、以下の説明では図２（ａ）に示す向きにおいて上下左右の方向を規定し、図２（ａ）における正面を前面とする。したがって、図２（ｂ）における右端は後端となる。
【００１８】
本実施形態のモジュラジャックは、前カバー１及び取付ベース２からなるカバーブロックと、モジュラブロック３と、ラベル４とで構成される。
【００１９】
前カバー１は樹脂成型品からなり、後面が開口した略箱状であって、前面から見た形状が略矩形状に形成されている。前カバー１の前面の略中央には前方に突出する突台５が形成され、突台５の中央にはモジュラプラグが挿入されるプラグ挿入口８が開口している。また、突台５の左右の段部の外側縁からは各一対の結合爪６が突設されており、突台５の左右両側面には結合孔７がそれぞれ開口している。また、前カバー１の左右両側面の後縁からは組立脚１６が後方に向かって突出し、各組立脚１６の先端部には外側に向かって突出する爪１６ａが形成されている。
【００２０】
前カバー１の内部にはプラグ挿入口８を開閉する扉９が収納されている。扉９は、それぞれ板状に形成されプラグ挿入口８に沿ってスライドする上扉１０及び下扉１１からなり、図示しないコイルばねによってプラグ挿入口８を閉じる方向に付勢されている。下扉１１の前面の下部にはプラグ挿入口８を通して前方に突出する操作片１１ａが突設され、下部の両側からは一端が前カバー１の内側面に当接したコイルばねの他端を受けるばね受け片１１ｃが突設されている。また、下扉１１の前面の上部には、上扉１０に形成された係止溝１０ａと係止する係止突起１１ｂが突設されている。而して、モジュラプラグをプラグ挿入口８から挿入する際には、下扉１１に設けられた操作片１１ａをモジュラプラグによって上扉１０側に移動させることによってプラグ挿入口８を開放する。このとき、上扉１０は、操作片１１ａで押されることによって下扉１１とともに移動し、プラグ挿入口８を開放する。また、モジュラプラグをプラグ挿入口８から引き抜くと、コイルばねのばね力によって下扉１１がプラグ挿入口８を閉じる向きに押され、下扉１１がプラグ挿入口８の半分を閉じる。この時、下扉１１の係止突起１１ｂが上扉１０の係止溝１０ａの端と係止することで、上扉１０が下扉１１と共に移動し、上扉１０が下扉１１に連動してプラグ挿入口８を閉じる。したがって、モジュラプラグがプラグ挿入口８に挿入されていないときには、モジュラジャックがどのような向きに設置されていても、コイルばねのばね力によって上扉１０および下扉１１がプラグ挿入口８を閉じるので、埃等の異物がモジュラブロック３の接続部１９に侵入することがない。
【００２１】
取付ベース２は、後述するモジュラブロック３の中枠１８の上面と当接する中央片１２と、中央片１２の左右両側からモジュラブロック３側（下側）に向かって突出し、中枠１８の左右両側面と当接する両側片１３，１３と、両側片１３，１３と一体に形成され中央片１２の左右両側からモジュラブロック３側に向かって突出するフランジ部１５，１５とで前面から見た形状が略コ字形に形成されている。各側片１３の内側面には前端側に開放された係止溝２５と、後端側に開放された係止溝２６，２７がそれぞれ形成されている。また、フランジ部１５には組立孔１５ａが設けられており、前カバー１の組立脚１６を組立孔１５ａに挿入し、組立脚１６の爪１６ａ（嵌合爪）を組立孔１５ａ（嵌合孔）の孔縁に係合させることで、前カバー１と取付ベース２とが結合されるのである。
【００２２】
取付ベース２の中央片１２の後縁からは後述するジャック本体１７の上面と当接するジャック保持部１４が延出し、ジャック保持部１４の左右両側縁からはジャック本体１７の側面の一部を覆う側面リブ１４ａが立設されている。ジャック保持部１４はモジュラブロック３の左右両側に張出しており、ジャック保持部１４におけるモジュラブロック３との対向面に、モジュラブロック３の左右両側から露出する部位に端子配列を表示した１枚のラベル４が貼り付けられている。ここで、従来のモジュラジャックではモジュラブロック３の左右両側にラベルを２枚貼り付けているが、本実施形態ではジャック保持部１４をモジュラブロック３の両側まで張り出させて、このジャック保持部１４に１枚のラベル４を貼り着け、モジュラブロック３の左右両側から露出するラベル４の部位に端子配列を表示しているので、ラベル４の枚数が１枚で済み、従来に比べてラベルの枚数を少なくでき、またラベルの貼着作業も１度で済むから、製造コストを下げることができる。
【００２３】
また、モジュラブロック３は、ジャック本体１７とジャック本体１７の前端部に装着される中枠１８とで構成される。中枠１８は前面の形状が略矩形状に形成された筒体であって、モジュラプラグが接続される接続部１９を前面に有し、接続部１９の内部にはモジュラプラグの複数の接触子にそれぞれ電気的に接続される複数（例えば８本）の接触部（図示せず）が配列されている。ジャック本体１７の内部には一端に接触部がそれぞれ形成された８本の導電部材が収納されており、各導電部材の接触部を接続部１９内に配列させるようにして中枠１８に取り付けられる。
【００２４】
ジャック本体１７の後部下面には左右両側に突台部１７ａ，１７ａが形成され、各突台部１７ａには下側及び左右両側に開放されたスリット１７ｂが４個ずつ形成されている（図１１（ａ）参照）。各スリット１７ｂは外側に行くほど前面に近付くように斜めに延びており、各スリット１７ｂには導電部材の他端に形成された圧接端子２０が配設されている。圧接端子２０は、一対の刃の間に下端縁を開放したフォーク状の圧接スリットを有する圧接形のもので、圧接スリットの幅は接続する電線の芯線に圧接スリットの両側縁が圧接する程度に設定されている。尚、ジャック本体１７の後部下面には、圧接端子２０の配設された部位を覆う保護カバー２１が着脱自在に取り付けられている。
【００２５】
また、ジャック本体１７には、両突台部１７ａ，１７ａの間の溝内に仕切り壁１７ｄが突設されており、仕切り壁１７ｄによって各突台部１７ａのスリット１７ｂ内に挿入される電線を分けている。また、ジャック本体１７の後面には仕切り壁１７ｄの両側に電線通し孔１７ｅが１個ずつ開口しており、各突台部１７ａの４個のスリット１７ｂの内、前側にある２個のスリット１７ｂ内に挿入される電線の対を電線通し孔１７ｅに通すことで、後側の２個のスリット１７ｂ内に挿入される電線の対と分離して、配線ミスを防止している。
【００２６】
また、中枠１８の左右両側面の略中央には撓み片２２が設けられている。撓み片２２は前端部が中枠１８に連結され、後端部が左右方向に撓み自在となっており、この撓み片２２には後方に行くほど突出量が大きくなる爪２２ａが形成されている。また、中枠１８の両側面には撓み片２２の上下両側に係止突起２３，２４が突設されている。
【００２７】
このモジュラジャックは以下のように組み立てられる。まず、前カバー１を前面が下向きになるように載置して、前カバー１の内部に扉９（上扉１０及び下扉１１）を収納する。下扉１１にはコイルばねの一端が装着されており、押さえ板３３によってコイルばねが前カバー１に固定される。次に、取付ベース２の前端部を前カバー１内に挿入して、前カバー１の組立脚１６に設けた爪１６ａを取付ベース２のフランジ部１５に形成した組立孔１５ａの孔縁に係合させることで、前カバー１と取付ベース２とを結合する。そして、取付ベース２のジャック保持部１４下面にラベル４を貼り付けた後、取付ベース２の両側片１３，１３の間にモジュラブロック３の中枠１８を挿入し、中枠１８の係止突起２３，２４を係止溝２６，２７の端面に当接させるとともに、撓み片２２の爪２２ａを係止部たる係止溝２５の縁に係止させることで、モジュラブロック３が取付ベース２に取り付けられる（図７及び図８参照）。尚、モジュラブロック３を取付ベース２に取り付ける際には、撓み片２２が弾性で撓むことによって取付が容易に行えるようになっている。また、モジュラジャックを組み立てる手順は上記の手順に限定されるものではなく、前カバー１に扉９を収納した後、モジュラブロック３を取り付けた取付ベースを前カバー１に組み込むようにしても良い。
【００２８】
そして、このモジュラジャックに電線を接続する際は、図１に示すようにジャック保持部１４を下側にしてモジュラジャックを載置し、図１１（ａ）に示すように絶縁被覆を有する電線４０を所定のスリット１７ｂ内に挿入して、インパクトツールのような工具で電線４０を圧接端子２０に圧入すると、電線４０の絶縁被覆を圧接スリットの両側縁で切ることによって絶縁被覆を剥ぎながら圧接スリットの中に芯線が導入され、圧接スリットの両側縁間に芯線が挟持されるようになっている。ここで、本実施形態のモジュラジャックでは、ジャック本体１７の底面（圧接端子２０の配設された側と反対側の部位）に当接するジャック保持部１４をカバーブロックの後部（つまり取付ベース２の中央片１２の後縁）から延設しており、インパクトツールで電線４０を圧接する際の衝撃をジャック保持部１４で受けているので、電線接続時に加わる衝撃でモジュラブロック３が取付ベース２から外れたり、モジュラブロック３と取付ベース２との結合部分が破損したりするのを防止できる。また、ジャック本体１７における圧接端子２０が配設された部位は、カバーブロックから後方に突出しており、ジャック本体１７の下面及び両側面はカバーブロックによって周りを囲まれていないので、結線作業がやりやすく、そのうえジャック保持部１４の左右両側縁から立設した側面リブ１４ａも、後方に行くほど突出量が小さくなるように形成しているので、前面側のスリット１７ｂに電線を接続する際に、手が入りやすく、電線の接続作業を容易に行うことができる。また、カバーブロックの後面（フランジ部１５の後面）には、モジュラブロック３付近の部位に前面側に凹没する凹所３０を形成してあり、凹所３０を形成することで電線接続時に手の入り込むスペースを確保しているので、電線の接続作業がやりやすいという利点がある。また、ジャック保持部１４は平板状に形成され、ジャック本体１７の後面側に開放されているので、ジャック本体１７の長さが異なるモジュラブロック３にも対応できるという利点がある。
【００２９】
また、前カバー１と取付ベース２とは、組立脚１６の爪１６ａが組立孔１５ａの孔縁と係合することで結合しているのであるが、取付ベース２に外力が加わってフランジ部１５，１５の間隔が広がるようにフランジ部１５，１５が撓むと、組立脚１６の爪１６ａと組立孔１５ａとの嵌合が外れる虞がある。そこで、図９及び図１０（ａ）（ｂ）に示すように、前カバー１の背面側に被係止部としてのリブ２９を突設するとともに、取付ベース２の各フランジ部１５の先端部に、リブ２９と係止することで嵌合が外れる方向に各フランジ部１５の先端部が開くのを防止する開き防止リブ２８を突設しても良い。ここで、取付ベース２に外力が加わって、組立脚１６の爪１６ａと組立孔１５ａとの嵌合が外れる向き（外向き）にフランジ部１５が移動すると、図１０（ｂ）に示すように前カバー１のリブ２９と取付ベース２の開き防止リブ２８とが係止して、側片１３がそれ以上外側に広がるのを規制しているので、組立脚１６の爪１６ａと組立孔１５ａとの嵌合が外れるのを防止できる。
【００３０】
ところで、上述の前カバー１は、図５に示すような規格化された取付枠８０に結合される。この取付枠８０は、ＪＩＳ規格や日本配線器具工業会規格において、スイッチボックスを用いて取付面に埋め込んだ形で取り付けられる埋込型の配線器具用に規格化されている大角形３個用のものである。すなわち、この前カバー１は規格化されている取付枠に取着できる配線器具の単位寸法と同等の形状・寸法を有している。この取付枠８０は、開口窓８１を囲む両側片８２ａ，８２ｂに上記結合爪６が係合する各３対の保持孔８３を有し、一方の側片８２ａには他方の側片８２ｂとの距離を変えるように撓むことができる撓み片８４が形成される。また、開口窓８１を囲み側片８２ａ，８２ｂと直交する連結片８５ａ，８５ｂには、スイッチボックスに取付枠８０を結合するためのボックスネジを挿入する長孔８６や、取付枠８０の前面を覆う化粧プレート８９を取り付けるプレートネジ８８が螺合するネジ孔８７などが設けられる。化粧プレート８９には、前カバー１の前面を露出させる窓孔８９ａと、プレートネジ８８を挿通する挿通孔８９ｂが穿孔される。
【００３１】
而して、取付枠８０にモジュラジャックを取り付けるときには、取付枠８０の後方から前カバー１を押しつけるようにすれば、撓み片８４が撓んで、前カバー１の結合爪６が保持孔８３と係止し、前カバー１（モジュラジャック）を取付枠８０に嵌着できる。このとき、前カバー１の突台５が開口窓８１から突出する。一方、取付枠８０からモジュラジャックを取り外す場合は、撓み片８４をドライバ等でこじて、結合爪６と保持孔８３との係止状態を解除すればよい。尚、図示した取付枠は合成樹脂製の取付枠８０であるが、金属製の取付枠の場合には、前カバー１の突台５の左右両側面に開口した結合孔７を用いて取付枠に結合すればよい。
【００３２】
（実施形態２）
本発明の実施形態２を図１３〜図１５に基づいて説明する。実施形態１では、モジュラブロック３の中枠１８の左右両側面に設けた撓み片２２の爪２２ａを利用してモジュラブロック３を取付ベース２に取り付けているのに対して、本実施形態では中枠１８の左右両側面に形成された溝部３１にそれぞれ係止する弾性を有する係止爪片３２，３２を取付ベース２に形成している。尚、モジュラブロック３と取付ベース２との結合手段以外は実施形態１と同様であるので、同一の構成要素には同一の符号を付して、その説明は省略する。
【００３３】
ここで、取付ベース２にモジュラブロック３を取り付ける場合は、図１５に示すように取付ベース２をモジュラブロック３に対して下方より挿入すると、係止爪片３２の爪３２ａが中枠１８の溝部３１と係止することで、モジュラブロック３が取付ベース２に固定される。尚、モジュラブロック３の取付時には係止爪片３２が弾性で撓むことによって取付が容易に行えるようになっている。そして、扉９が収納された前カバー１に、モジュラブロック３が取り付けられた取付ベース２を後側から挿入すると、組立脚１６の爪１６ａと組立孔１５ａとが嵌合することによって、前カバー１と取付ベース２とが結合され、組立が完了する。このように、本実施形態では中枠１８の側面に形成された溝部３１を利用して、モジュラブロック３を取付ベース２に取り付けているので、爪２２ａが無いモジュラブロック３でも取付ベース２に取り付けることができる。
【００３４】
【発明の効果】
上述のように、請求項１の発明は、モジュラプラグを挿入するプラグ挿入口が前面に開口したカバーブロックと、カバーブロックに取り付けられ、プラグ挿入口を通して挿入されるモジュラプラグの接触子に接触する接触部及び該接触部に電気的に接続されるとともに外部電線が圧接される圧接端子を具備したモジュラブロックとを備え、圧接端子はカバーブロックから後方に突出するモジュラブロックの部位の一面に配設されており、モジュラブロックにおける圧接端子が配設された側と反対側の部位に接触するジャック保持部をカバーブロックの後部から延設したことを特徴とし、圧接端子が配設された部位はカバーブロックから後方に突出しており、カバーブロックによって囲まれていないので、結線作業がやりやすく、そのうえモジュラブロックにおける圧接端子が配設された側と反対側の部位にジャック保持部が接触しているので、圧接端子に電線を圧接する際の衝撃をジャック保持部で受けることができ、結線時に加わる衝撃に強いモジュラジャックを実現できる。
【００３５】
請求項２の発明は、請求項１の発明において、上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、後方から取付ベースに挿入されるモジュラブロックの爪と係止する係止部を取付ベースに設けたことを特徴とし、前カバーに取着された取付ベースに対してモジュラブロックを後方から挿入すると、モジュラブロックの爪と係止部とが係止することでモジュラブロックが取付ベースに取り付けられるので、前カバーと取付ベースとを結合した状態でモジュラブロックを後から取り付けることができる。
【００３６】
請求項３の発明は、請求項１の発明において、上記カバーブロックは、後面が開口した略箱形であって前面にプラグ挿入口が開口した前カバーと、前カバーの開口内に前端部を納めた状態で前カバーに取着される取付ベースとで構成され、取付ベースの後端部から上記ジャック保持部を一体に延設して成り、モジュラブロックの左右両側面に形成された溝部にそれぞれ係止する弾性を有する係止爪片を取付ベースに設けたことを特徴とし、モジュラブロックの側面にある溝部を利用してモジュラブロックを取付ベースに取り付けることができる。
【００３７】
請求項４の発明は、請求項２又は３の発明において、上記取付ベースは後端部からジャック保持部が延設される中央片と、中央片の左右両側縁からモジュラブロック側に突出するフランジ部とで前方から見た形状が略コ字形に形成され、各フランジ部に前カバーの後部から後方に突出する嵌合爪と嵌合する嵌合孔を設けており、各フランジ部の先端部に、前カバーに設けた被係止部と係止することで、嵌合爪と嵌合孔との嵌合が外れる方向へ各フランジ部の先端部が開くのを防止する開き防止リブを設けたことを特徴とし、開き防止リブが前カバーに設けた被係止部と係止することで、両フランジ部の先端部が嵌合爪と嵌合孔との嵌合状態が外れる方向に開くのを防止しているので、前カバーと取付ベースとの嵌合強度を確保できる。
【００３８】
請求項５の発明は、請求項１乃至請求項４の何れか１つの発明において、カバーブロックの後面に、圧接端子に電線を接続する作業を行う際に手の入り込む凹所を設けたことを特徴とし、結線作業の作業性がさらに向上する。
【００３９】
請求項６の発明は、請求項１乃至請求項５の何れか１つの発明において、ジャック保持部はモジュラブロックの左右両側に張出しており、ジャック保持部におけるモジュラブロックとの対向面に、モジュラブロックの左右両側から露出する部位に端子配列を表示したラベルを貼り付けて成ることを特徴とし、モジュラジャックの左右両側面にそれぞれラベルを貼り付ける場合に比べてラベルの枚数が１枚で済み、貼着作業も１度で済むので、製造コストを下げることができる。
【図面の簡単な説明】
【図１】実施形態１のモジュラジャックの一部破断せる側面図である。
【図２】同上を示し、（ａ）は正面図、（ｂ）は側断面図である。
【図３】同上の背面図である。
【図４】同上の分解斜視図である。
【図５】同上の取付枠への取付を説明する説明図である。
【図６】同上の一部破断せる下面図である。
【図７】（ａ）（ｂ）はモジュラブロックの取付ベースへの取付を説明する説明図である。
【図８】同上のモジュラブロックと取付ベースとの結合部分の要部拡大断面図である。
【図９】同上の取付ベースの正面図である。
【図１０】（ａ）（ｂ）は同上の取付ベースとカバーとの結合部分の要部拡大断面図である。
【図１１】同上を示し、（ａ）は一部破断せる下面図、（ｂ）は側面図である。
【図１２】同上を示し、モジュラブロックを組み込む前の状態の下面図である。
【図１３】実施形態２のモジュラジャックを示し、（ａ）は取付ベースにモジュラブロックを取り付けた状態の正面図、（ｂ）は側断面図である。
【図１４】同上の一部破断せる下面図である。
【図１５】同上を示し、モジュラブロックの取付ベースへの取付を説明する説明図である。
【図１６】従来のモジュラジャックを示し、（ａ）は正面図、（ｂ）は一部破断せる側面図である。
【図１７】同上の一部破断せる下面図である。
【図１８】同上の背面図である。
【符号の説明】
１    前カバー
２    取付ベース
３    モジュラブロック
１４  ジャック保持部
【図１】
2004171899.tif 000003
【図２】
2004171899.tif 000004
【図３】
2004171899.tif 000005
【図４】
2004171899.tif 000006
【図５】
2004171899.tif 000007
【図６】
2004171899.tif 000008
【図７】
2004171899.tif 000009
【図８】
2004171899.tif 000010
【図９】
2004171899.tif 000011
【図１０】
2004171899.tif 000012
【図１１】
2004171899.tif 000013
【図１２】
2004171899.tif 000014
【図１３】
2004171899.tif 000015
【図１４】
2004171899.tif 000016
【図１５】
2004171899.tif 000017
【図１６】
2004171899.tif 000018
【図１７】
2004171899.tif 000019
【図１８】
2004171899.tif 000020